(57)【特許請求の範囲】
【請求項１】
開閉可能な一対のアームを有する把持部と、前記一対のアームを開閉させる操作部とを備えたヤットコに取り付けられて用いられるヤットコ用アダプタであって、
前記把持部の両アームの先端に、両アームの開閉方向に延出するように取り付けられるとともに、両アームの開閉に応じて互いに相対的にスライド可能な一対のスライド部材と、前記把持部の両アームと反対方向に開口するとともに、前記両スライド部材の相対移動に追従して開閉可能な一対のアームとからなる反転把持部を備え、
前記一対のスライド部材は、前記一方のアームの先端に固定された状態に取り付けられるガイドレールと、該ガイドレールによって相対的にスライド可能に案内されるとともに、前記他方のアームの先端に連結ピンを介して回動可能に取り付けられるスライドバーとからなり、
該スライドバーには、該スライドバーのスライド方向に対して所定の角度をなす方向に延出する長孔が設けられ、該長孔内に前記連結ピンが該長孔の長手方向に相対的に移動可能に挿通されていることを特徴とするヤットコ用アダプタ。
【請求項２】
開閉可能な一対のアームを有する把持部と、前記一対のアームを開閉させる操作部とを備えたヤットコに取り付けられて用いられるヤットコ用アダプタであって、
前記把持部の両アームの先端に、両アームの開閉方向に延出するように取り付けられるとともに、両アームの開閉に応じて互いに相対的にスライド可能な一対のスライド部材と、前記把持部の両アームと反対方向に開口するとともに、前記両スライド部材の相対移動に追従して開閉可能な一対のアームとからなる反転把持部を備え、
前記一対のスライド部材は、前記一方のアームの先端に固定された状態に取り付けられるガイドレールと、該ガイドレールによって相対的にスライド可能に案内されるとともに、連結バーを介して前記他方のアームの先端に連結されるスライドバーとからなり、
該スライドバーと前記連結バーとの間、及び前記連結バーと前記他方のアームの間が回動可能に構成されていることを特徴とするヤットコ用アダプタ。
【請求項３】
前記反転把持部の一対のアームは、前記ガイドレールに一体に設けられる第１アームと、前記スライドバーに、前記第１アームと対向するように一体に設けられる第２アームとからなることを特徴とする請求項１又は２に記載のヤットコ用アダプタ。
【請求項４】
前記ガイドレールと前記把持部の一方のアームとの間に、前記把持部の一方のアームと前記ガイドレールとのなす角度を所定の角度に保つ支持部材を介在させたことを特徴とする請求項１〜３の何れか１項に記載のヤットコ用アダプタ。
【請求項５】
前記反転把持部の第１アーム及び第２アームに工具用のアダプタを取り付けたことを特徴とする請求項３又は４に記載のヤットコ用アダプタ。
【発明の詳細な説明】
【技術分野】
【０００１】
本発明は、ヤットコ用アダプタに関し、特に、ヤットコの把持部の開口の向きに対して反対方向に開口する反転把持部を備えたヤットコ用アダプタに関する。
【背景技術】
【０００２】
従来、間接機材を用いて行う間接活線作業において、図１０〜図１２に示すように、架線４０の活線部分を絶縁シート４１で覆い、上方から絶縁シート４１にシートクリップ４２を取り付ける場合、特許文献１、２に記載のようなヤットコ１を用い、ヤットコ１の把持部２にシートクリップ４２を装着し、ヤットコ１の操作部のレバーを操作することにより、シートクリップ４２を絶縁シート４１に取り付けている。
【０００３】
このような作業においては、作業者の安全を確保するために、高所作業車等において、作業者が架線４０の下方からヤットコ１の操作部のレバーを操作し、把持部２に装着したシートクリップ４２を絶縁シート４１に取り付けている。
【０００４】
しかし、上記のような構成のヤットコ１は、操作部に対する把持部２の角度を０〜９０度の範囲内でしか調整できないため、図１１に示すように、作業位置を架線４０に対してほぼ水平となる位置まで上げて、その位置で操作部のレバーを操作してシートクリップ４２の取り付けを行わなければならず、作業者の安全を確保することが難しい。また、架線４０の高さ、作業箇所等によっては、作業位置を上げることができないため、絶縁シート４１にシートクリップ４２を取り付けることが困難になる。
【０００５】
上記のような問題に対処するため、作業者と補助者の二名で作業を行い、図１２に示すように、補助者が絶縁シート４１の向きをほぼ水平となるように修正して支え、この状態で架線４０の下方から作業者がヤットコ１の操作部のレバーを操作して、把持部２に装着したシートクリップ４２を絶縁シート４１に水平方向から取り付けことが考えられる。
【０００６】
しかし、作業者と補助者の二名が必要になるとともに、絶縁シート４１の向きを修正する作業、修正した向きに絶縁シート４１を支える作業、シートクリップ４２を絶縁シート４１に取り付けた後に、絶縁シート４１を元の向きの戻す作業等が必要になり、作業効率が非常に悪くなる。
【先行技術文献】
【特許文献】
【０００７】
【特許文献１】特開２００７−４９８５２号公報
【特許文献２】特開２００９−５００５３号公報
【発明の概要】
【発明が解決しようとする課題】
【０００８】
本発明は、上記のような従来の問題に鑑みなされたものであって、間接機材を用いて行う間接活線作業等に適用した場合に、絶縁シートへのシートクリップの取り付けを容易に、効率良く、かつ安全に行うことができるヤットコ用アダプタを提供することを目的とする。
【課題を解決するための手段】
【０００９】
上記のような課題を解決するために、本発明は、以下のような手段を採用している。
すなわち、本発明は、開閉可能な一対のアームを有する把持部と、前記一対のアームを開閉させる操作部とを備えたヤットコに取り付けられて用いられるヤットコ用アダプタであって、前記把持部の両アームの先端に、両アームの開閉方向に延出するように取り付けられるとともに、両アームの開閉に応じて互いに相対的にスライド可能な一対のスライド部材と、前記把持部の両アームと反対方向に開口するとともに、前記両スライド部材の相対移動に追従して開閉可能な一対のアームとからなる反転把持部を備え、前記一対のスライド部材は、前記一方のアームの先端に固定された状態に取り付けられるガイドレールと、該ガイドレールによって相対的にスライド可能に案内されるとともに、前記他方のアームの先端に連結ピンを介して回動可能に取り付けられるスライドバーとからなり、該スライドバーには、該スライドバーのスライド方向に対して所定の角度をなす方向に延出する長孔が設けられ、該長孔内に前記連結ピンが該長孔の長手方向に相対的に移動可能に挿通されていることを特徴とする。
【００１０】
本発明のヤットコ用アダプタによれば、ヤットコの操作部を操作して把持部の一対のアームを開閉させると、両アームの開閉に応じて反転把持部の一対のスライド部材が互いに相対的にスライドし、両スライド部材のスライドに追従して反転把持部の一対のアームが開閉し、反転把持部の両アーム間に対象物が把持される。
この場合、反転把持部の一対のアームは、ヤットコの把持部の両アームと反対方向に開口しているので、例えば、上方の作業対象物に対して下方からヤットコの操作部を操作することにより、反転把持部に把持した対象物を作業対象物に上方から取り付けることができる。従って、そのような作業を作業者一人で行うことができるので、作業効率を高めことができるとともに、作業者の安全を確保することもできる。
また、ヤットコの操作部を操作して把持部の一対のアームを閉じたときに、把持部の一方のアームの先端に対してガイドレールが回動するようなことはなく、操作部に対するガイドレールの角度を所定の角度に保った状態で、ガイドレールに沿ってスライドバーを相対的にスライドさせることができ、反転把持部の一対のアームを閉じることができる。従って、上方の作業対象物に対して下方からヤットコの操作部を操作することにより、反転把持部に把持した対象物を作業対象物に上方から取り付けるような場合に、操作部に対するスライドレール及びスライドバーの角度を所定の角度に保った状態で対象物を取り付けることができるので、作業効率を高めることができるとともに、作業者の安全を確保することもできる。
なお、ガイドレールを把持部の一方のアームに固定しても、スライドバーを把持部の他方のアームに連結する連結ピンをスライドバーの長孔の長手方向に逃すことができるので、把持部の一対のアームの開閉動作を妨げるようなことはなく、ガイドレールに沿ってスライドバーを円滑にスライドさせることができる。
【００１１】
また、本発明は、開閉可能な一対のアームを有する把持部と、前記一対のアームを開閉させる操作部とを備えたヤットコに取り付けられて用いられるヤットコ用アダプタであって、前記把持部の両アームの先端に、両アームの開閉方向に延出するように取り付けられるとともに、両アームの開閉に応じて互いに相対的にスライド可能な一対のスライド部材と、前記把持部の両アームと反対方向に開口するとともに、前記両スライド部材の相対移動に追従して開閉可能な一対のアームとからなる反転把持部を備え、前記一対のスライド部材は、前記一方のアームの先端に固定された状態に取り付けられるガイドレールと、該ガイドレールによって相対的にスライド可能に案内されるとともに、連結バーを介して前記他方のアームの先端に連結されるスライドバーとからなり、該スライドバーと前記連結バーとの間、及び前記連結バーと前記他方のアームの間が回動可能に構成されていることを特徴とする。
【００１２】
本発明のヤットコ用アダプタによれば、ヤットコの操作部を操作して把持部の一対のアームを閉じたときに、把持部の一方のアームの先端に対してガイドレールが回動するようなことはなく、操作部に対するガイドレールの角度を所定の角度に保った状態で、ガイドレールに沿ってスライドバーを相対的にスライドさせることができ、反転把持部の一対のアームを閉じることができる。従って、上方の作業対象物に対して下方からヤットコの操作部を操作することにより、反転把持部に把持した対象物を作業対象物に上方から取り付けるような場合に、操作部に対するスライドレール及びスライドバーの角度を所定の角度に保った状態で対象物を取り付けることができるので、作業効率を高めることができるとともに、作業者の安全を確保することもできる。
なお、ガイドレールを把持部の一方のアームに固定しても、スライドバーと連結バーとの連結部、連結バーと把持部の他方のアームとの連結部が回動可能に構成されているので、把持部の一対のアームの開閉動作を妨げるようなことはなく、ガイドレールに沿ってスライドバーを円滑にスライドさせることができる。
【００１３】
さらに、本発明において、前記反転把持部の一対のアームは、前記ガイドレールに一体に設けられる第１アームと、前記スライドバーに、前記第１アームと対向するように一体に設けられる第２アームとからなることを特徴とする。
【００１４】
本発明のヤットコ用アダプタによれば、ガイドレールとスライドバーとが相対的にスライドすることにより、それに追従して第１アームと第２アームとが互いに接近又は離間する方向に移動し、第１アームと第２アームとの間に対象物が把持され、又は把持状態が解除されることになる。
【００１５】
さらに、本発明において、前記ガイドレールと前記把持部の一方のアームとの間に、前記把持部の一方のアームと前記ガイドレールとのなす角度を所定の角度に保つ支持部材を介在させたことを特徴とする。
【００１６】
本発明のヤットコ用アダプタによれば、ヤットコの把持部の一方のアームと反転支持部のガイドレールとのなす角度を所定の角度に保つことができるので、それらのなす角度が変化することによってガイドレールとスライドバーとの相対的なスライドを阻害するようなことはなく、ガイドレールとスライドバーとを円滑に相対的にスライドさせることができる。
【００１７】
さらに、本発明において、前記反転把持部の第１アーム及び第２アームに工具用のアダプタを取り付けたこととしてもよい。
【００１８】
本発明のヤットコ用アダプタによれば反転把持部に各種の工具を装着できるので、各種の作業に適用することが可能となる。
【発明の効果】
【００１９】
以上、説明したように、本発明のヤットコ用アダプタによれば、ヤットコの把持部の開口の向きに対して、ヤットコ用アダプタの把持部の開口部の向きを反転させることができるので、例えば、作業者の上方の対象物に対して上方から部材を取り付けるような場合に、作業者が対象物の下方からヤットコを操作して、ヤットコ用の反転把持部に把持した部材を上方から対象物に取り付けることができる。従って、対象物の向きを修正する等の作業が不要となるので、対象物への部材の取り付け作業を容易に、効率良く、かつ安全に行うことができる。
【図面の簡単な説明】
【００２０】
【図１】本発明によるヤットコ用アダプタの第１の実施の形態を示した平面図である。
【図２】図１の裏面図である。
【図３】第１の実施の形態のヤットコ用アダプタをヤットコに取り付けた状態を示した平面図であって、反転把持部を閉じた状態を示した説明図である。
【図４】第１の実施の形態のヤットコ用アダプタをヤットコに取り付けた状態を示した平面図であって、反転把持部を開いた状態を示した説明図である。
【図５】ヤットコの一例を示した平面図である。
【図６】ヤットコ用アダプタに取り付けた対象物（シートクリップ）を絶縁シートに取り付けた状態を示した説明図である。
【図７】本発明によるヤットコ用アダプタの第２の実施の形態を示した平面図である。
【図８】図７の裏面図である。
【図９】第２の実施の形態のヤットコ用アダプタをヤットコに取り付けた状態を示した平面図であって、反転把持部を開いた状態を示した説明図である。
【図１０】従来のヤットによる対象物（シートクリップ）を絶縁シートに取り付ける方法を示した説明図である。
【図１１】従来のヤットによる対象物（シートクリップ）を絶縁シートに取り付ける方法を示した説明図である。
【図１２】従来のヤットによる対象物（シートクリップ）を絶縁シートに取り付ける方法を示した説明図である。
【発明を実施するための形態】
【００２１】
以下、図面を参照しながら本発明の実施の形態について説明する。
図１〜図４には、本発明によるヤットコ用アダプタの第１の実施の形態が示されている。本実施の形態のヤットコ用アダプタ２０は、間接機材を用いて行う間接活線作業等に適用され、例えば、図６に示すように、架線４０の活線部分を絶縁シート４１で覆い、架線４０の上方からヤットコ１を用いて絶縁シート４１に対象物であるシートクリップ４２を取り付ける作業に有効なものである。
【００２２】
ヤットコ１は、例えば、図５に示すように、開閉自在なアルミ合金製の一対のＣ形状のアーム（第１アーム３及び第２アーム４）からなる把持部２と、把持部２の両アーム３、４を開閉させる操作部６とを備え、把持部２の両アーム３、４に本実施の形態のヤットコ用アダプタ２０が着脱自在に取り付けられるようになっている。
【００２３】
操作部６は、絶縁材からなるパイプ状の操作ロッド７と、操作ロッド７に対して略平行に設けられる絶縁材からなるパイプ状の連結ロッド８と、アルミ合金製のＬ形状の操作レバー９とを備え、操作ロッド７の先端７ｂに取付金具１０を介して把持部２の第１アーム３及び第２アーム４が取り付けられるようになっている。
【００２４】
取付金具１０は、操作ロッド７の先端７ｂに取り付けられる基部１１と、基部１１の先端に一体に設けられるアーム取付部１２とから構成され、アーム取付部１２に第１アーム３の基端３ａが固定され、第１アーム３の基端３ａに第２アーム４の基端４ａが噛合され、この状態で第２アームの基端４ａが第１アーム３の基端３ａに連結ピン５を介して回動自在に連結されている。
【００２５】
第１アーム３は、図５に想像線で示すように、アーム取付部１２に対する取付角度が調整可能に構成され、第１アーム３のアーム取付部１２に対する取付角度を調整することにより、第１アーム３の操作ロッド７の軸線に対する開き角度を調整することができる。
【００２６】
操作ロッド７の基端７ａ側にはレバー取付部１４が設けられ、このレバー取付部１４に操作レバー９が連結ピン１５を介して回動自在に連結され、連結ピン１５を中心として操作レバー９が操作ロッド７に接近又は離間する方向（図５の矢印方向）に回動するようになっている。
【００２７】
連結ロッド８は、先端８ｂが連結金具１６を介して第２アーム４の基端４ａ近傍に回動自在に連結されるとともに、基端８ａが連結ピン１３を介して操作レバー９の先端９ａに回動自在に連結され、操作レバー９を操作ロッド７に接近又は離間する方向に回動させることにより、操作レバー９に追従して連結ロッド８が操作ロッド７に沿う方向（図５の上下方向）に移動するようになっている。
【００２８】
連結金具１６は、連結ロッド８の先端８ｂに固定される筒状の基部１７と、基部１７の先端に一体に設けられる角度調整部１８とを備え、角度調整部１８が連結ピン（図示せず）を介して第２アーム４の基端４ａ近傍に回動自在に連結されている。角度調整部１８の第２アーム４に対する連結位置を調整することにより、第２アーム４の第１アーム３に対する開閉角度を調整できるようになっている。
【００２９】
本実施の形態のヤットコ用アダプタ２０は、図１及び図２に示すように、相対的にスライド可能な一対のスライド部材２１、３０と、両スライド部材２１、３０に追従して開閉可能な一対のアーム２７、３４とを備え、両アーム２７、３４によって反転把持部３５が構成されている。
【００３０】
一方のスライド部材２１は、互いに平行をなすように設けられる一対のレール部２３、２３と、両レール部２３、２３間に設けられる長方形状の案内溝２２とを備えたガイドレール２１であって、このガイドレール２１の案内溝２２内に他方のスライド部材３０である帯板状のスライドバー３０が挿入され、このスライドバー３０が案内溝２２の両縁の一対のレール部２３、２３によってスライド可能に案内されている。
【００３１】
ガイドレール２１の基端２１ａ側には第１取付部２４が設けられ、スライドバー３０の基端３０ａ側には第２取付部３１が設けられ、ガイドレール２１の先端２１ｂに一方のアームである第１アーム２７が一体に設けられ、スライドバー３０の先端３０ｂに他方のアームである第２アーム３４が一体に設けられている。
【００３２】
第１取付部２４は、ボックス状の本体２４ａと、本体２４ａをヤットコ１の第１アーム３の先端３ｂに固定する固定ねじ２５と、本体２４ａをガイドレール２１の基端２１ａに固定する固定ピン２６とを備え、図３及び図４に示すように、第１取付部２４の本体２４ａをヤットコ１の第１アーム３の先端３ｂに固定することにより、ガイドレール２１がヤットコ１の第１アーム３の先端３ｂに、ヤットコ１の把持部２（第１アーム３及び第２アーム４）の開閉方向に延出するように取り付けられる。
【００３３】
第１取付部２４の本体２４ａには、支持部材２８が取り付けられ、この支持部材２８でガイドレール２１を下方から支持した状態で、ガイドレール２１の基端２１ａを第１取付部２４に固定ピン２６で固定することにより、ガイドレール２１とヤットコ１の第１アーム３とのなす角度が所定の角度に保たれている。
【００３４】
第２取付部３１は、ボックス状の本体３１ａと、本体３１ａをヤットコ１の第２アーム４の先端４ｂに固定する固定ねじ３２と、本体３１ａをスライドバー３０の基端３０ａに回動自在に連結する連結ピン３３とを備え、図３及び図４に示すように、第２取付部３１の本体３１ａをヤットコ１の第２アーム４の先端４ｂに固定することにより、スライドバー３０がヤットコ１の第２アーム４の先端４ｂに、ヤットコ１の把持部２（第１アーム３及び第２アーム４）の開閉方向に延出するように取り付けられる。
【００３５】
スライドバー３０の基端３０ａには、スライドバーのスライド方向に対して所定の角度をなす方向（図中上方）に延出する略円弧状の長孔３０ｃが設けられ、この長孔３０ｃ内に連結ピン３３が長孔３０ｃの長手方向に移動可能に挿通されている。
【００３６】
第１アーム２７は、図１及び図２に示すように、長方形板状をなすものであって、ガイドレール２１の先端２１ｂに、ガイドレール２１の長手方向と直交し、かつ、ガイドレール２１の下縁から図１及び図２の下方に所定の長さ突出するように、一体に設けられている。
【００３７】
第２アーム３４は、図１及び図２に示すように、長方形板状をなすものであって、スライドバー３０の先端３０ｂに、スライドバー３０の長手方向と直交し、かつ、スライドバー３０の下縁から図１及び図２の下方に所定の長さ突出するように、一体に設けられている。
【００３８】
第１アーム２７と第２アーム３４とにより、ヤットコ１の把持部２で対象物４２を把持する方向と反対方向から対象物４２を把持する反転把持部３５が構成される。例えば、図３及び図４に示すように、ヤットコ１の把持部２を上方向に向けた場合には、ヤットコ用アダプタ２０の反転把持部３５を下方に向けることができるので、反転把持部３５で上方から対象物４２を把持することが可能となる。
【００３９】
そして、上記のように構成した本実施の形態のヤットコ用アダプタ２０を用いて対象物であるシートクリップ４２を把持するには、図６に示すように、ヤットコ１の操作部６の操作レバー９（図５参照）を握ることにより、ヤットコ１の把持部２の第２アーム４を回動させて、第１アーム３と第２アーム４とを閉じる方向に相対的に移動させる。
【００４０】
把持部２の第２アーム４を回動させて、第１アーム３と第２アーム４とを閉じる方向に相対的に移動させると、ヤットコ用アダプタ２０の反転把持部３５のスライドバー３０がガイドレール２１に沿ってスライドし、反転支持部３５の第１アーム２７と第２アーム３４とが互いに接近する方向に相対的に移動し、第１アーム２７と第２アーム３４との間に対象物であるシートクリップ４２が把持される。
【００４１】
従って、ヤットコ１の操作部６の操作ロッド７を鉛直方向に向けた状態で、ヤットコ用アダプタ２０の反転把持部３５を下方に向けて、反転把持部の第１アーム２７と第２アーム３４との間にシートクリップ４２を把持することができるので、架線４０の活線部分を絶縁シート４１で覆い、上方から絶縁シート４１にシートクリップ４２を取り付けるような場合に、補助の作業者を必要とすることなく、その作業を一人の作業者で行うことができ、作業効率を大幅に高めることができる。
【００４２】
さらに、従来のように、作業位置を架線４０と水平な位置まで上げる必要がなく、架線４０の下方からヤットコ１の操作部６の操作レバー９を操作して、架線４０に取り付けた絶縁シート４１に対して上方からシートクリップ４２を取り付けることができので、作業者の安全性を確保することができる。
【００４３】
さらに、ガイドレール２１をヤットコ１の把持部２の第１アーム３に固定しているので、ヤット１の操作部６の操作レバー９を操作して、把持部２の第１アーム３と第２アーム４とを閉じる方向に相対的に移動させても、把持部２の第１アーム３に対してガイドレール２１が回動するようなことはなく、操作部６に対するガイドレール２１の角度を所定の角度に保った状態で、ガイドレール２１に沿ってスライドバー３０を相対的にスライドさせることができ、反転把持部３５の第１アームと第２アーム３４とを閉じることができる。
【００４４】
従って、上方の絶縁シート４１に対して、下方からヤットコ１の操作部６の操作レバー９を操作して、反転把持部３５に把持したシートクリップ４２を絶縁シート４１の上方から取り付けるような場合に、操作部６に対するガイドレール２１及びスライドバー３０の角度を所定の角度に保った状態でシートクリップ４２を取り付けることができ、作業効率を高めることができるとともに、作業者の安全を確保することもできる。
【００４５】
なお、ガイドレール２１をヤットコ１の把持部２の第１アーム３に固定しても、スライドバー３０を把持部２の第２アーム４に回動自在に連結する連結ピン３３をスライドバー３０の長孔３０ｃの長手方向に逃すことができるので、把持部２の第１アーム３と第２アーム４の開閉動作を妨げるようなことはなく、ガイドレール２１に沿ってスライドバー３０を円滑にスライドさせることができる。
【００４６】
図７〜図９には、本発明によるヤットコ用アダプタの第２の実施の形態が示されている。本実施の形態のヤットコ用アダプタ２０は、ガイドレール２１の基端２１ａをヤットコ１の第１アーム３の先端３ｂに第１取付部２４を介して固定するとともに、スライドバー３０の基端３０ａに連結バー２９の一端を連結ピン３３を介して回動自在に連結し、連結バー２９の他端を連結ピン３３を介してヤットコ１の第２アーム４の先端４ｂに固定した第２取付部３１に回動自在に連結したものであって、その他の構成は前記第１の実施の形態に示すものと同様である。
【００４７】
そして、本実施の形態のヤットコ用アダプタ２０にあっても、前記第１の実施の形態に示すものと同様の作用効果を奏する他、本実施の形態では、ガイドレール２１をヤットコ１の把持部２の第１アーム３に固定しているので、ヤット１の操作部６の操作レバー９を操作して、把持部２の第１アーム３と第２アーム４とを閉じる方向に相対的に移動させても、把持部２の第１アーム３に対してガイドレール２１が回動するようなことはなく、操作部６に対するガイドレール２１の角度を所定の角度に保った状態で、ガイドレール２１に沿ってスライドバー３０を相対的にスライドさせることができ、反転把持部３５の第１アームと第２アーム３４とを閉じることができる。
【００４８】
従って、上方の作業対象物に対して下方からヤットコ１の操作部６の操作レバー９を操作することにより、反転把持部３５に把持した対象物を作業対象物に上方から取り付けるような場合に、操作部６に対するガイドレール２１及びスライドバー３０の角度を所定の角度に保った状態で対象物を取り付けることができ、作業効率を高めることができるとともに、作業者の安全を確保することもできる。
【００４９】
なお、ガイドレール２１をヤットコ１の把持部２の第１アーム３に固定しても、スライドバー３０を把持部２の第２アーム４に連結バー２９を介して連結し、連結バー２９と第２アーム４との間、連結バー２９とスライドバー３０との間を連結ピン３３によって回動自在に構成しているので、把持部２の第１アーム３と第２アーム４の開閉動作を妨げるようなことはなく、ガイドレール２１に沿ってスライドバー３０を円滑にスライドさせることができる。
なお、スライドバー３０に対して連結バー２９を回動させる場合には、ガイドレール２１のレール部２３に連結バー２９を逃す溝（図示せず）を設ける等の方法をとればよい。
【００５０】
なお、上記の各実施の形態の説明においては、反転把持部３５の第１アーム２７と第２アーム３４との間にシートクリップ４２を直接把持したが、図示はしないが、第１アーム３７及び第２アーム３４に既存のアダプタを装着し、このアダプタ間でシートクリップ４２を把持するように構成してもよい。
【００５１】
また、図示はしないが、反転把持部３５の第１アーム２７及び第２アーム３４に既存のアダプタを取り付け、このアダプタにラジオペンチ、カッター等の工具を取り付け、作業者の上方の対象物に対して下方からヤットコ１の操作部６を操作して、上方から対象物に対してラジオペンチ、カッター等の工具を用いて各種の作業を行ってもよい。
【符号の説明】
【００５２】
１  ヤットコ
２  把持部
３  第１アーム
３ａ  基端
３ｂ  先端
４  第２アーム
４ａ  基端
４ｂ  先端
５  連結ピン
６  操作部
７  操作ロッド
７ａ  基端
７ｂ  先端
８  連結ロッド
８ａ  基端
８ｂ  先端
９  操作レバー
９ａ  先端
１０  取付金具
１１  基部
１２  アーム取付部
１３  連結ピン
１４  レバー取付部
１５  連結ピン
１６  連結金具
１７  基部
１８  角度調整部
２０  ヤットコ用アダプタ
２１  ガイドレール
２１ａ  基端
２１ｂ  先端
２２  案内溝
２３  レール部
２４  第１取付部
２４ａ  本体
２５  固定ねじ
２６  連結ピン
２７  第１アーム
２８  支持部材
２９  連結バー
３０  スライドバー
３０ａ  基端
３０ｂ  先端
３０ｃ  長孔
３１  第２取付部
３１ａ  本体
３２  固定ねじ
３３  連結ピン
３４  第２アーム
３５  反転把持部
４０  架線
４１  絶縁シート
４２  対象物（シートクリップ）
【図１】
0005653717.tif 000002
【図２】
0005653717.tif 000003
【図３】
0005653717.tif 000004
【図４】
0005653717.tif 000005
【図５】
0005653717.tif 000006
【図６】
0005653717.tif 000007
【図７】
0005653717.tif 000008
【図８】
0005653717.tif 000009
【図９】
0005653717.tif 000010
【図１０】
0005653717.tif 000011
【図１１】
0005653717.tif 000012
【図１２】
0005653717.tif 000013